(57)【特許請求の範囲】
【請求項１】
ＣＡＴＶ信号が入力されるとともに上り信号が出力される入出力端子と、この入出力端子に接続され、１０ＭＨｚ以上の周波数を通過させるとともに雷エネルギーはアースに導かれる雷防止手段と、この雷防止手段の出力が一方の入力に供給されるとともに、他方の入力には発振器の出力が供給される混合器と、この混合器の出力が接続されるフィルターと、このフィルターの出力が供給される出力端子と、前記雷防止手段の出力が接続され、上り信号周波数を出力するデータ送信回路とを備え、前記雷防止手段は信号通路に挿入されたコンデンサと、このコンデンサの入力側と金属製のフレームの近傍に設けられたアースとの間に挿入された巻線コイルとで形成されたハイパスフィルタを用いるとともに、前記巻線コイルに筒状フェライトコアを挿入し、この筒状のフェライトコアは両端に埋設された絶縁物と、この絶縁物に植設されたリード端子を有し、このリード端子に前記巻線コイルの両端を接続し、この巻線コイル自体のインダクタンスと、前記巻線コイル間の浮遊容量により形成されるトラップの周波数が映像信号帯域内では非形成としたＣＡＴＶ用チューナー。
【請求項２】
巻線コイルの線径は０．４ｍｍ以上とした請求項１記載のＣＡＴＶ用チューナー。
【発明の詳細な説明】
【０００１】
【発明の属する技術分野】
本発明は、画像受信とデータ送受信回路を有するＣＡＴＶ用チューナーに関するものである。
【０００２】
【従来の技術】
図４に示すように、従来のＣＡＴＶ用チューナーは入出力端子２１と、この入出力端子２１に接続された雷防止手段２２と、この雷防止手段２２の出力が一方の入力に供給されるとともに他方の入力には第一の発振器２３の出力が供給される第一の混合器２４と、この第一の混合器２４の出力が接続される第一のフィルター２５と、この第一のフィルター２５の出力が一方の入力に供給されるとともに他方の入力には第二の発振器２６の出力が接続される第二の混合器２７と、この第二の混合器２７の出力が接続される第二のフィルター２８と、この第二のフィルター２８の出力が供給される出力端子２９と、前記雷防止手段２２の出力に接続されたデータ送信回路３０と、このデータ送信回路３０に接続された入力端子３１とを備えた構成となっていた。そして、前記雷防止手段２２は図５に示すように、ハイパスフィルタで構成されていた。すなわち、信号通路３２，３３間に挿入されたコンデンサ３４と、このコンデンサ３４の入力側とアースとの間に挿入された巻線コイル３５とで形成されており巻線コイル３５は空芯であった。
【０００３】
以上のように構成されたＣＡＴＶ用チューナーにおいて、データ送信回路３０の上り信号周波数は１５ＭＨｚから３０ＭＨｚの低い周波数で行われているので、図４に示す雷防止手段２２のカットオフ周波数は、雷エネルギーと上り信号以上の周波数とを分離するため１０ＭＨｚ以下に設定する必要があった。その為、雷防止手段２２の要部回路図５において巻線コイル３５は高インダクタンスが必要となり、その結果巻数が多いものとなっていた。
【０００４】
また、図４に示す入出力端子２１に、悪天候時において雷エネルギーがケーブルから入った時、ＣＡＴＶ用チューナーを保護する為に、雷エネルギーは図５に示す巻線コイル３５を通りアースに落ちる回路構成としていた。この際、雷エネルギーによる巻線コイル３５の断線を防ぐ為に、巻線コイル３５の線径を０．４ｍｍ以上としていた。
【０００５】
【発明が解決しようとする課題】
しかしながらこのような従来の構成では、空芯の巻線コイル３５において高インダクタンスを得る為に巻数を多くすることと、雷エネルギーによる断線防止の為に線径を０．４ｍｍ以上とすることの二つの条件を満足させようとすると、巻線間の浮遊容量３６が大きくなって無視できなくなり、その結果図６に示すように、ケーブルから入ってくる映像信号帯域通過特性に、巻線コイル自体のインダクタンスと巻線間の浮遊容量３６により形成されるノッチ的なトラップ３７が入ることになる。つまり、雷防止手段２２のインダクタンスに線径０．４ｍｍ以上で巻数を多くした巻線コイルを使用すると、このトラップ３７のために映像信号帯域通過特性の劣化という問題があった。
【０００６】
そこで本発明はこのような問題点を解決するもので、落雷からＣＡＴＶ用チューナーを保護するとともに、映像信号帯域の通過特性が劣化しないＣＡＴＶ用チューナーを提供することを目的としたものである。
【０００７】
【課題を解決するための手段】
この目的を達成するために本発明のＣＡＴＶ用チューナーの雷防止手段は、信号通路に挿入されたコンデンサと、このコンデンサの入力側と金属製のフレームの近傍に設けられたアースとの間に挿入された巻線コイルとで形成されたハイパスフィルタを用いるとともに、前記巻線コイルに筒状フェライトコアを挿入し、この筒状のフェライトコアは両端に埋設された絶縁物と、この絶縁物に植設されたリード端子を有し、このリード端子に前記巻線コイルの両端を接続し、この巻線コイル自体のインダクタンスと、前記巻線コイル間の浮遊容量により形成されるトラップの周波数が映像信号帯域内では非形成としたものである。
【０００８】
これにより、雷からＣＡＴＶ用チューナーを保護するとともに、映像信号通過帯域の通過特性が劣化しないＣＡＴＶ用チューナーを得ることができる。
【０００９】
【発明の実施の形態】
本発明の請求項１に記載の発明は、ＣＡＴＶ信号が入力されるとともに上り信号が出力される入出力端子と、この入出力端子に接続され、１０ＭＨｚ以上の周波数を通過させるとともに雷エネルギーはアースに導かれる雷防止手段と、この雷防止手段の出力が一方の入力に供給されるとともに、他方の入力には発振器の出力が供給される混合器と、この混合器の出力が接続されるフィルターと、このフィルターの出力が供給される出力端子と、前記雷防止手段の出力が接続され、上り信号周波数を出力するデータ送信回路とを備え、前記雷防止手段は信号通路に挿入されたコンデンサと、このコンデンサの入力側と金属製のフレームの近傍に設けられたアースとの間に挿入された巻線コイルとで形成されたハイパスフィルタを用いるとともに、前記巻線コイルに筒状フェライトコアを挿入し、この筒状のフェライトコアは両端に埋設された絶縁物と、この絶縁物に植設されたリード端子を有し、このリード端子に前記巻線コイルの両端を接続し、この巻線コイル自体のインダクタンスと、前記巻線コイル間の浮遊容量により形成されるトラップの周波数が映像信号帯域内では非形成としたＣＡＴＶ用チューナーであり、巻線コイルに筒状フェライトコアを挿入しているので、巻線コイルの巻数を少なくすることができる。その結果として、浮遊容量が少なくなるので、映像信号帯域内にトラップが生ずることはなく、通過特性が劣化することはない。
【００１０】
また、雷エネルギーが入力されたとしても直接フレームに導かれることになり、雷からＣＡＴＶ用チューナーを保護することができる。
【００１１】
請求項２に記載の発明は、巻線コイルの線径は０．４ｍｍ以上とした請求項１記載のＣＡＴＶ用チューナーであり、インダクタンスが大きくなったにもかかわらず、筒状フェライトコアを挿入しているので、０．４ｍｍと線径を太くすることができ、例え雷エネルギーが入力されたとしても、断線することはなく安全である。
【００１３】
以下、本発明の一実施の形態について、図面を参照しながら説明する。図３において本発明のＣＡＴＶ用チューナーは、入出力端子１０と、この入出力端子１０に接続された雷防止手段１１と、この雷防止手段１１の出力が一方の入力に供給されるとともに、他方の入力には第一の発振器１２の出力が供給される第一の混合器１３と、この第一の混合器１３の出力が接続される第一のフィルター１４と、この第一のフィルター１４の出力が一方の入力に供給されるとともに、他方の入力には第二の発振器１５の出力が接続される第二の混合器１６と、この第二の混合器１６の出力が接続される第二のフィルター１７と、この第二のフィルター１７の出力が供給される出力端子１８と、前記雷防止手段１１の出力に接続されたデータ送信回路１９と、このデータ送信回路１９の出力が接続された入力端子２０とを備えた構成である。そして、前記雷防止手段１１は図１に示すように、ハイパスフィルターで構成されていた。すなわち、信号通路１，２間に挿入されたコンデンサ３と、このコンデンサ３の入力側とアースとの間に挿入された巻線コイル４とで形成されるとともに、この巻線コイル４に筒状フェライトコア５を挿入したものである。
【００１４】
ここで、筒状フェライトコア５は直径３ｍｍ長さ８ｍｍの円筒形状をしており、鉄粉を圧縮して形成されたものである。
【００１５】
また、巻線コイル４の線径は０．４ｍｍであり、巻線は１３．５回である。このように、巻線コイル４の線径は０．４ｍｍと太くすることができるので、雷に対しても安全であるとともに小型化も可能となる。そして、巻線コイル４に筒状フェライトコア５を挿入した際のインダクタンスの値は、約１．２μＨでありコンデンサ３の容量は１２０ｐＦである。これにより、１０ＭＨｚ以上を通過させるハイパスフィルターとしても使用できる雷防止手段１１を形成している。
【００１６】
また、図２に示すように筒状フェライトコア５は両端に絶縁物６を埋設しており、この絶縁物６にリード端子７が植設されている。そして、そのリード端子７に巻線コイル４の両端を半田付け接続している。
【００１７】
また、筒状フェライトコア５を挿入した巻線コイル４のアース点は、ＣＡＴＶ用チューナーの金属製のフレーム近傍に設けており、雷エネルギーが入力されたとしても直接フレームに導かれることになり、プリント基板上のアースパターン切れを防止している。
【００１８】
【発明の効果】
以上のように本発明によれば、ＣＡＴＶ用チューナーの雷防止手段は、信号通路に挿入されたコンデンサと、このコンデンサの入力側と金属製のフレームの近傍に設けられたアースとの間に挿入された巻線コイルとで形成されたハイパスフィルタを用いるとともに、前記巻線コイルに筒状フェライトコアを挿入し、この筒状のフェライトコアは両端に埋設された絶縁物と、この絶縁物に植設されたリード端子を有し、このリード端子に前記巻線コイルの両端を接続し、この巻線コイル自体のインダクタンスと、前記巻線コイル間の浮遊容量により形成されるトラップの周波数が映像信号帯域内では非形成としたものであり、巻線コイルに筒状フェライトコアを挿入しているので、巻線コイルの巻数を少なくすることができる。その結果として、浮遊容量が少なくなるので、映像信号帯域内にトラップが生ずることはなく、通過特性が劣化することはない。
【００１９】
また、雷エネルギーが入力されたとしても直接フレームに導かれることになり、雷からＣＡＴＶ用チューナーを保護することができる。
【図面の簡単な説明】
【図１】本発明の一実施の形態におけるＣＡＴＶ用チューナーの雷防止手段の要部回路図
【図２】本発明の一実施の形態におけるＣＡＴＶ用チューナーの雷防止手段を構成するインダクタンスの斜視図
【図３】本発明の一実施の形態におけるＣＡＴＶ用チューナーのブロック図
【図４】従来のＣＡＴＶ用チューナーのブロック図
【図５】従来のＣＡＴＶ用チューナーのハイパスフィルターの要部回路図
【図６】従来のＣＡＴＶ用チューナーの映像信号帯域通過特性を示す特性図
【符号の説明】
１  信号通路
２  信号通路
３  コンデンサ
４  巻線コイル
５  筒状フェライトコア
６  絶縁物
７  リード端子
１０  入出力端子
１１  雷防止手段
１２  第一の発振器
１３  第一の混合器
１４  第一のフィルター
１８  出力端子
【図１】
0003757877.tif 000002
【図２】
0003757877.tif 000003
【図３】
0003757877.tif 000004
【図４】
0003757877.tif 000005
【図５】
0003757877.tif 000006
【図６】
0003757877.tif 000007